(57)【特許請求の範囲】
【請求項１】
両底角が４５度からなる直角二等辺三角形状を有する第１板と、
該第１板の底辺から上方に延設され、該第１板の底辺の長さと同じ長さからなる底辺を有する第２板とを備えるものであって、
該第２板の底辺を該第１板の底辺にするとともに、
該第２板の両側辺が該第１板の底辺に対し直角に設けられており、
側面視において、該第２板を直立させたときに該第１板が水平に設けられていること
を特徴とする入隅及び出隅用土台水切り加工用の墨付けスコヤ。
【請求項２】
両底角が４５度からなる直角二等辺三角形状を有する第１板と、
該第１板の底辺から上方に延設され、該第１板の底辺の長さと同じ長さからなる底辺を有する第２板とを備えるものであって、
該第２板の底辺を該第１板の底辺にするとともに、
該第２板の両側辺が該第１板の底辺に対し直角に設けられており、
該第１板と該第２板とのなす角度が鈍角であること
を特徴とする入隅及び出隅用土台水切り加工用の墨付けスコヤ。
【請求項３】
両底角が４５度からなる直角二等辺三角形状を有する第１板と、
該第１板の底辺から上方に延設され、該第１板の底辺の長さと同じ長さからなる底辺を有する第２板とを備えるものであって、
該第２板の底辺を該第１板の底辺にするとともに、
該第２板の両側辺が該第１板の底辺に対し直角に設けられており、
該第１板と該第２板とのなす角度が可変であること
を特徴とする入隅及び出隅用土台水切り加工用の墨付けスコヤ。
【発明の詳細な説明】
【技術分野】
【０００１】
本発明は、建造物の基礎等に設置する土台水切りを入隅及び出隅用の土台水切りに加工する際に用いられる墨付けスコヤに関する。
【背景技術】
【０００２】
建造物のコーナー部分に設置する土台水切りは、その設置箇所の形状に合わせ入隅又は出隅用に加工される。
【０００３】
ここで、土台水切りを入隅用に加工するには、まず、図１３に示すように土台水切り１００の基台上面１０に、基台上面１０の出幅と同じ長さ（高さ）を有する両底角が４５度からなる直角二等辺三角形を形成するように線分１ａ、１ｂ（斜辺）を墨付けする。次に、土台水切り１００の基台側面１２に、線分１ａ、１ｂの各端点１Ａ、１Ｂから垂直に二本の線分１ｃ、１ｄを墨付けする。そして、線分１ａと線分１ｂの交点１Ｅから垂直に一本の線分１ｅを土台水切り１００の立ち上がり面１１に墨付けする。その後、図１４に示すように墨付けされた土台水切り１００を線分１ｂ、１ｄ、１ｅに沿って切り込みを入れることで切除部２ａ、２ｂ、切り込み線２ｃと重ねしろ３ａ、３ｂを形成する。最後に線分１ａに沿って重ねしろ３ａを下方に、線分１ｃに沿って重ねしろ３ｂを手前側に折り込み、立ち上がり面１１に墨付けされた線分１ｅに沿って土台水切り１００を手前側に折り込むことで、入隅用土台水切り２００を形成する（図１５）。
【０００４】
他方、土台水切りを出隅用に加工するには、まず、図１６に示すように土台水切り３００の基台上面２０に、基台上面２０の出幅と同じ長さ（高さ）を有する両底角が４５度からなる直角二等辺三角形を形成するように線分４ａ、４ｂ（斜辺）を墨付けする。次に、土台水切り３００の立ち上がり面２１に、線分４ａ、４ｂの各端点４Ａ、４Ｂから垂直に二本の線分４ｃ、４ｄを墨付けする。そして、線分４ａと線分４ｂの交点４Ｅから垂直に一本の線分４ｅを土台水切り３００の基台側面２２に墨付けする。その後、図１７に示すように墨付けされた土台水切り３００を線分４ｂ、４ｄ、４ｅに沿って切り込みを入れることで切除部５ａ、５ｂ、切り込み線５ｃと重ねしろ６ａ、６ｂを形成する。最後に線分４ａに沿って重ねしろ６ａを下方に、線分４ｃに沿って重ねしろ６ｂを後方に折り込み、基台側面２２に墨付けされた線分４ｅに沿って土台水切り３００を後方に折り込むことで、出隅用土台水切り４００を形成する（図１８）。
【０００５】
このように、入隅及び出隅用の土台水切りを形成する際には、まず、所定の位置（線分１ａ〜１ｅ、線分４ａ〜４ｅ）に墨付けを行う必要があるが、従来では、この墨付けを行うに際して、図１９に示すような内角が４５度、１３５度、９０度、９０度の台形状からなる止型スコヤが使用されている（非特許文献１参照）。
【先行技術文献】
【非特許文献】
【０００６】
【非特許文献１】止型スコヤ広巾４０ｍｍ台付、シンワ測定株式会社総合カタログ３９頁［ｏｎｌｉｎｅ］、２０１３年８月〜〔平成２５年９月４日検索〕、インターネット＜URL:http：//www.shinwasokutei.co.jp/Japanese/content/products/Pro_list/Catalog/catalog.html＞
【発明の概要】
【発明が解決しようとする課題】
【０００７】
上記のような止型スコヤを用いて土台水切りに墨付けを行う場合には、５回もの工程を経る必要がある。
【０００８】
具体的には、まず、止型スコヤ５００の斜辺７ａを用いて線分１ａ、４ａを墨付けした後、止型スコヤ５００を反転させ、同じく斜辺７ａを用いて線分１ｂ、４ｂを墨付けする。次に、止型スコヤ５００を垂直に立て、上辺７ｂを用いて線分１ｅ、４ｅを墨付けし、さらに、そのまま止型スコヤ５００を移動させ、同じく上辺７ｂを用いて線分１ｃ、４ｃと線分１ｄ、４ｄを順次墨付けしていく。
【０００９】
このように、止型スコヤ５００を用いて土台水切り１００、３００に墨付けを行う場合には、５回もの工程が必要となり、作業者はその度に止型スコヤを反転、移動させなければならず、効率的に土台水切りへの墨付けを行うことができない。
【００１０】
また、作業現場には、様々な機材等が置かれており、十分な作業スペースが確保されないことが多いことから、このような止型スコヤを用いての墨付け作業は煩わしさに堪えない。
【００１１】
さらに、このような状況下において、止型スコヤを用いて土台水切りに墨付けを行う場合には、何度も止型スコヤを持ち替える必要があり、手元が安定せず、墨付けする線分が正確に引けないという問題が生じる（線分がずれてしまう）。
【００１２】
そこで、本発明に係る入隅及び出隅用土台水切り加工用の墨付けスコヤは、上記点に鑑みてなされたものであり、土台水切りを入隅及び出隅用に加工する際に安定的かつ効率的に墨付けが行えるようにすることを目的とするものである。
【課題を解決するための手段】
【００１３】
請求項１の発明に係る入隅及び出隅用土台水切り加工用の墨付けスコヤは、両底角が４５度からなる直角二等辺三角形状を有する第１板と、該第１板の底辺から上方に延設され、該第１板の底辺の長さと同じ長さからなる底辺を有する第２板とを備えるものであって、該第２板の底辺を該第１板の底辺にするとともに、該第２板の両側辺が該第１板の底辺に対し直角に設けられており、側面視において、該第２板を直立させたときに該第１板が水平に設けられていることを特徴とする。
【００１４】
また、請求項２の発明に係る入隅及び出隅用土台水切り加工用の墨付けスコヤは、両底角が４５度からなる直角二等辺三角形状を有する第１板と、該第１板の底辺から上方に延設され、該第１板の底辺の長さと同じ長さからなる底辺を有する第２板とを備えるものであって、該第２板の底辺を該第１板の底辺にするとともに、該第２板の両側辺が該第１板の底辺に対し直角に設けられており、該第１板と該第２板とのなす角度が鈍角であることを特徴とするものである。
【００１５】
さらに、請求項３の発明に係る入隅及び出隅用土台水切り加工用の墨付けスコヤは、両底角が４５度からなる直角二等辺三角形状を有する第１板と、該第１板の底辺から上方に延設され、該第１板の底辺の長さと同じ長さからなる底辺を有する第２板とを備えるものであって、該第２板の底辺を該第１板の底辺にするとともに、該第２板の両側辺が該第１板の底辺に対し直角に設けられており、該第１板と該第２板とのなす角度が可変であることを特徴とするものである。
【発明の効果】
【００１６】
請求項１に記載の発明では、側面視において、該第２板を直立させたときに該第１板が水平に設けられていることから、該第１板と該第２板の設置角度と土台水切りの基台上面と立ち上がり面との設置角度は略一致する。また、本発明の全体の形状は、入隅及び出隅用として加工するために土台水切りに墨付けされた線分１ａ〜１ｄ、線分４ａ〜４ｄを囲んだ形状とも一致する。したがって、本発明を土台水切りにあてがえば、入隅及び出隅用として加工するための線分１ａ〜１ｄ、線分４ａ〜４ｄを一回の工程で墨付けできる。さらに、本発明を反転させれば、土台水切りに線分１ｅ、４ｅを墨付け可能なことから、請求項１に記載の発明によれば、２回の工程のみをもって、入隅及び出隅に兼用として加工するために必要な全ての墨付けを土台水切りに施すことができる。
【００１７】
また、請求項２に記載の発明では、該第１板と該第２板とのなす角度が鈍角に形成されていることから、該第１板と該第２板との設置角度を土台水切りの基台上面と立ち上がり面とがなす設置角度に一致させることができる。これにより、請求項２に記載の発明は、土台水切りに密着させるようあてがうことができ、請求項１に記載の発明の効果に加えて、より安定的かつ正確に土台水切りへの墨付け作業が可能となる。
【００１８】
さらに、請求項３に記載の発明では、該第１板と該第２板とのなす角度が可変であることから、該第１板と該第２板との設置角度を土台水切りの基台上面と立ち上がり面とがなす様々な設置角度に一致させることができる。これにより、請求項３に記載の発明は、該第１板と該第２板とのなす角度を調整することができることから、請求項１及び２に記載の発明の効果に加えて、ひとつのスコヤであらゆる傾斜角度の基台上面の土台水切りに墨付け可能となる。
【図面の簡単な説明】
【００１９】
【図１】本発明の第１実施例に係る墨付けスコヤの斜視図である。
【図２】本発明の第１実施例に係る墨付けスコヤの側面図である。
【図３】本発明の第１実施例に係る墨付けスコヤを用いて、土台水切りに入隅加工用の線を墨付けする際の手順を示す斜視図である。
【図４】本発明の第１実施例に係る墨付けスコヤを用いて、土台水切りに入隅加工用の線を墨付けする際の手順を示す斜視図である。
【図５】本発明の第１実施例に係る墨付けスコヤを用いて、土台水切りに出隅加工用の線を墨付けする際の手順を示す斜視図である。
【図６】本発明の第１実施例に係る墨付けスコヤを用いて、土台水切りに出隅加工用の線を墨付けする際の手順を示す斜視図である。
【図７】本発明の第２実施例に係る墨付けスコヤの斜視図である。
【図８】本発明の第２実施例に係る墨付けスコヤの側面図である。
【図９】本発明の第２実施例に係る墨付けスコヤを用いて、土台水切りに入隅加工用の線を墨付けする際の手順を示す斜視図である。
【図１０】本発明の第２実施例に係る墨付けスコヤを用いて、土台水切りに入隅加工用の線を墨付けする際の手順を示す斜視図である。
【図１１】本発明の第２実施例に係る墨付けスコヤを用いて、土台水切りに出隅加工用の線を墨付けする際の手順を示す斜視図である。
【図１２】本発明の第２実施例に係る墨付けスコヤを用いて、土台水切りに出隅加工用の線を墨付けする際の手順を示す斜視図である。
【図１３】入隅用に加工するための線分を墨付けした土台水切りの斜視図である。
【図１４】入隅用に加工するために切除部、切り込み線及び重ねしろを形成した土台水切りの斜視図である。
【図１５】入隅用土台水切りの斜視図である。
【図１６】出隅用に加工するための線分を墨付けした土台水切りの斜視図である。
【図１７】出隅用に加工するために切除部、切り込み線及び重ねしろを形成した土台水切りの斜視図である。
【図１８】出隅用土台水切りの斜視図である。
【図１９】止型スコヤの斜視図である。
【発明を実施するための形態】
【００２０】
以下、図面を用いて本発明の詳細を説明する。
【実施例１】
【００２１】
まず、図１及び図２を用いて、本発明の第１実施例に係る入隅及び出隅用土台水切り加工用の墨付けスコヤ（以下、「第１実施例に係る墨付けスコヤ」という。）の形態について説明する。
【００２２】
図１は、本発明の第１実施例に係る墨付けスコヤ６００の斜視図であり、図２は、本発明の第１実施例に係る墨付けスコヤ６００の側面図を表す。この第１実施例に係る墨付けスコヤ６００は、第１板３０と第２板３１とから構成されている。
【００２３】
第１板３０は、その形状が両底角が４５度からなる直角二等辺三角形状にて形成されている。第２板３１は、その底辺９ａが第１板３０の底辺８ａの長さと同じ長さで形成される。また、第２板３１の両側辺９ｂ、９ｃは、第２板３１の底辺９ａ（第１板３０の底辺８ａ）に対し直角に設けられる。さらに、第２板３１の上辺９ｄは直線状にて形成されており、第２板３１全体の形状は、矩形状にて形成される。
【００２４】
第２板３１は、第１板３０の底辺８ａ（直角二等辺三角形の底辺）から連続して上方に延設されており、その設置角度は、第１板３０を水平にしたときに垂直となるよう形成されている（図２に示すように側面視において逆Ｌ字状となる）。
【００２５】
図２に示すように、本発明の第１実施例に係る墨付けスコヤ６００は、薄い板状のものから形成されている。墨付けを安定して確実に行うこと及びスコヤ自体の軽量化の観点から、第１板３０と第２板３１の厚みは、共に０．８ｍｍ〜１ｍｍ程度で形成することが好ましい。なお、第１板３０及び第２板３１の素材としては、強度及び耐久性を考慮してステンレスが好ましい。
【００２６】
本発明の第１実施例に係る墨付けスコヤ６００の各寸法は、土台水切りの寸法に応じて決定される。ここでは、基台上面１０、２０の出幅が４０ｍｍ、基台側面１２、２２の高さが３０ｍｍ及び立ち上がり面１１、２１の高さが６０ｍｍの一般的な土台水切りを前提に説明する。
【００２７】
入隅及び出隅用の土台水切りに加工するためには、まず、土台水切りの基台上面１０、２０に、基台上面１０、２０の出幅と同じ高さを有する直角二等辺三角形を形成するように線分１ａ、１ｂ（斜辺）と線分４ａ、４ｂ（斜辺）を墨付けしなければならない。したがって、第１板３０の底辺８ａの中心点４０ａから二つの斜辺８ｂ、８ｃの交点４０ｂまでの長さ（高さ）は、４０ｍｍに形成される。そして、第１板３０の形状が両底角が４５度からなる直角二等辺三角形であることから、第１板３０の底辺８ａの長さは、必然的に８０ｍｍに形成される（この直角二等辺三角形の底辺の長さは高さの２倍となる）。第１板３０の二つの斜辺８ｂ、８ｃは、底辺８ａの両端部４０ｃ、４０ｄと二つの斜辺８ｂ、８ｃの交点４０ｂとを直線で結んで形成される。
【００２８】
第２板３１の底辺９ａ及び上辺９ｄの長さは、第１板３０の底辺８ａの長さと同じ８０ｍｍで形成される。また、第２板３１の両側辺９ｂ、９ｃは、土台水切りの立ち上がり面１１、２１と基台側面１２、２２の短手方向の長さを比較し、その長さが長い方の長さと同じ若しくはそれ以上の長さ（高さ）で形成する必要がある（ここでは６０ｍｍ以上の長さが必要）。土台水切りの立ち上がり面１１、２１及び基台側面１２、２２の上端から下端にかけて線分を墨付けする必要があるからである。
【００２９】
なお、本実施例では、第２板３１の上辺９ｄを直線状とし、第２板３１全体の形状を矩形状としたが、第２板３１の両側辺９ｂ、９ｃが土台水切りの立ち上がり面１１、２１の短手方向の長さ（基台側面１２、２２の短手方向の長さが立ち上がり面１１、２１の短手方向の長さよりも長い場合には、基台側面１２、２２の短手方向の長さを基準とする）と同じ若しくはそれ以上の長さ（高さ）で形成されているのであれば、例えば、第２板３１の上辺９ｄの形状を湾曲状としてもよい（第２板３１全体の形状を必ずしも矩形状とする必要はない）。
【００３０】
また、本実施例では、第１板３０及び第２板３１の厚みを共に０．８ｍｍ〜１ｍｍ程度としているが、墨付けを安定して確実に行うこと及びスコヤ自体の軽量化を達成できるものであれば、厚みはこれらに限られるものではなく、また、第１板３０と第２板３１の厚みが異なっていてもよい（例えば、第１板３０の厚みが０．８ｍｍで第２板３１の厚みが１ｍｍ）。
【００３１】
さらに、本実施例では、強度及び耐久性を考慮して、本発明の素材をステンレスとしているが、例えば、これらの素材として、繊維強化プラスチック（Ｆｉｂｅｒ  Ｒｅｉｎｆｏｒｃｅｄ  Ｐｌａｓｔｉｃｓ）又はアルミニウムを用いてもよい。
【００３２】
加えて、本実施例では、本発明の寸法を「基台上面１０、２０の出幅が４０ｍｍ、基台側面１２、２２の高さが３０ｍｍ及び立ち上がり面１１、２１の高さが６０ｍｍ」の一般的な土台水切りを前提として説明しているが、本発明の寸法は、その土台水切りの寸法（主に基台上面１０、２０の出幅）により適宜変更されるものである。例えば、基台上面１０、２０の出幅が５０ｍｍであれば、第１板３０の底辺８ａの中心点４０ａから二つの斜辺８ｂ、８ｃの交点４０ｂまでの長さ（高さ）は、５０ｍｍとされ、第１板３０の底辺８ａの長さは、必然的に１００ｍｍに形成される（この直角二等辺三角形の底辺の長さは高さの２倍となる）。そして、第２板３１の底辺９ａ及び上辺９ｄの長さは、第１板３０の底辺８ａの長さと同じ１００ｍｍで形成され、第２板３１の両側辺９ｂ、９ｃは、土台水切りの立ち上がり面１１、２１と同じ若しくはそれ以上の長さ（高さ）で形成されることになる（基台側面１２、２２の短手方向の長さが立ち上がり面１１、２１の短手方向の長さよりも長い場合には、基台側面１２、２２の短手方向の長さを基準とする）。
【００３３】
このように、本実施例では、本発明の趣旨を逸脱しない範囲で種々の変更が可能であることはいうまでもない。
【００３４】
次に、図３、図４、図５及び図６を用いて、本発明の第１実施例に係る墨付けスコヤの使用方法について説明する。
【００３５】
図３及び図４は、本発明の第１実施例に係る墨付けスコヤ６００を用いて、土台水切りに入隅加工用の線を墨付けする際の手順を示す斜視図であり、図５及び６は、本発明の第１実施例に係る墨付けスコヤ６００を用いて、土台水切りに出隅加工用の線を墨付けする際の手順を示す斜視図である。
【００３６】
まず、土台水切りに入隅加工用の線を墨付けする際の手順について説明する。本発明の第１実施例に係る墨付けスコヤ６００を用いて、土台水切り１００に入隅加工用の線を墨付けするには、図３に示すとおり、まず、第１板３０の上面側を土台水切り１００の基台上面１０に載置するとともに、第２板３１の正面側を土台水切り１００の基台側面１２に密着するよう保持する。このとき、土台水切り１００の形状は、雨水等が基台上面１０上に溜まることを防止すべく、側面視において、基台上面１０が立ち上がり面１１を直立させたときに立ち上がり面１１の連設部から基台側面１２との連設部にかけて下り傾斜となっているため、側面視において逆Ｌ字状からなる本発明では（図２）、基台上面１０と第１板３０との間にわずかな隙間が生じる。
【００３７】
この状態において、まず、基台上面１０に第１板３０の斜辺８ｂ、８ｃを用いて、両底角が４５度からなる直角二等辺三角形を形成するように線分１ａ、１ｂ（斜辺）を墨付けする。そして、その状態のまま、第２板３１の両側辺９ｂ、９ｃを用いて、基台側面１２に二本の線分１ｃ、１ｄを墨付けする。なお、上述のとおり、基台上面１０と第１板３０との間にはわずかな隙間が生じているが、第２板３１の正面側を土台水切り１００の基台側面１２に密着するよう保持しているため、この隙間があることで墨付け作業自体が不安定になることはない。
【００３８】
最後に、図４に示すとおり、第１板３０の裏面側を基台上面１０に載置するとともに、第２板３１の背面側を立ち上がり面１１に密着するよう保持する（本発明を反転させる）。このとき、第１板３０の斜辺８ｃを線分１ａに重ねるようにする。そして、第２板の右側辺９ｃを用いて、立ち上がり面１１に線分１ａと線分１ｂの交点１Ｅから垂直の線分１ｅを墨付けする（第１板３０の斜辺８ｂを線分１ｂに重ね、第２板の左側辺９ｂを用いて線分１ｅを墨付けしてもよい）。なお、このように本発明を反転させた場合、第１板３０と基台上面１０との間にはわずかな隙間が生じるが、第２板３１の背面側を立ち上がり面１１に密着するよう保持しているため、この隙間があることで墨付け作業自体が不安定になることはない。
【００３９】
次に、土台水切りに出隅加工用の線を墨付けする際の手順について説明する。本発明の第１実施例に係る墨付けスコヤ６００を用いて、土台水切りに出隅加工用の線を墨付けするには、図５に示すとおり、まず、第１板３０の裏面側を土台水切り３００の基台上面２０に載置するとともに、第２板３１の背面側を土台水切り３００の立ち上がり面２１に密着するよう保持する。
【００４０】
この状態において、まず、基台上面２０に第１板３０の斜辺８ｂ、８ｃを用いて、両底角が４５度からなる直角二等辺三角形を形成するように線分４ａ、４ｂ（斜辺）を墨付けする。そして、その状態のまま、第２板３１の両側辺９ｂ、９ｃを用いて、立ち上がり面２１に二本の線分４ｃ、４ｄを墨付けする。なお、このとき、基台上面２０は、側面視において、立ち上がり面２１を直立させたときに立ち上がり面２１の連設部から基台側面２２との連設部にかけて下り傾斜となっているため、基台上面２０と第１板３０との間にはわずかな隙間が生じる。しかし、第２板３１の背面側を土台水切り３００の立ち上がり面２１に密着するよう保持しているため、この隙間があることで墨付け作業自体が不安定になることはない。
【００４１】
最後に、図６に示すとおり、第１板３０の上面側を基台上面２０に載置するとともに、第２板３１の正面側を基台側面２２に密着するよう保持する（本発明を反転させる）。このとき、第１板３０の斜辺８ｃを線分４ａに重ねるようにする。そして、第２板３１の右側辺９ｃを用いて、基台側面２２に線分４ａと４ｂの交点４Ｅから垂直の線分４ｅを墨付けする（第１板３０の斜辺８ｂを線分４ｂに重ね、第２板３１の左側辺９ｂを用いて線分４ｅを墨付けしてもよい）。なお、このように本発明を反転させた場合、第１板３０と基台上面２０との間にはわずかな隙間が生じるが、第２板３１の正面側を基台側面２２に密着するよう保持しているため、この隙間があることで墨付け作業自体が不安定になることはない。
【００４２】
このように、本発明の第１実施例に係る墨付けスコヤ６００では、１回の工程で土台水切りの基台上面１０、２０に両底角が４５度からなる直角二等辺三角形を形成するように線分１ａ、１ｂ、線分４ａ、４ｂ（斜辺）を墨付けできるとともに、基台側面１２に線分１ｃ、１ｄを、立ち上がり面２１に線分４ｃ、４ｄを墨付けすることができる。そして、本発明を反転させれば、立ち上がり面１１に線分１ｅを、基台側面２２に線分４ｅを墨付けすることもできる。
【００４３】
したがって、本発明の第１実施例に係る墨付けスコヤを用いれば、２回の工程のみをもって、入隅及び出隅用として加工するための必要な全ての墨付けを土台水切りに施すことができることから、効率的に墨付け作業を行うことが可能となる。
【実施例２】
【００４４】
まず、図７及び図８を用いて、本発明の第２実施例に係る入隅及び出隅用土台水切り加工用の墨付けスコヤ（以下、「第２実施例に係る墨付けスコヤ」という。）の形態について説明する。なお、第２実施例に係る墨付けスコヤ７００の形態のうち、第１板５０と第２板５１の設置角度以外の部分は、第１実施例に係る墨付けスコヤと同様であるため、ここでは説明を省略する。
【００４５】
図７は、本発明の第２実施例に係る墨付けスコヤ７００の斜視図であり、図８は、本発明の第２実施例に係る墨付けスコヤ７００の側面図を表す。この第２実施例に係る墨付けスコヤ７００は、第１板５０と第２板５１とから構成される。第１板５０は、側面視において、第２板５１を直立させたときに第２板５１の連設部（第１板５０の底辺１５ａ、第２板５１の底辺１６ａ）から第１板５０の斜辺１５ｂと１５ｃの交点６０ｂへ向けて下り傾斜となっている。すなわち、第１板５０と第２板５１とのなす角度は鈍角となる。
【００４６】
この第１板５０の下り傾斜の角度は、土台水切りの形状に応じて決定される。すなわち、土台水切りの形状は、側面視において、基台上面１０、２０が、立ち上がり面１１、２１を直立させたときに、立ち上がり面１１、２１との連設部から基台側面１２、２２との連設部にかけて下り傾斜となっているため、第１板５０の下り傾斜の角度も、この基台上面１０、２０の下り傾斜の角度に沿うよう形成されることになる。一般的な土台水切りの基台上面の下り傾斜の角度は、概ね１０度から１５度にて形成されているため、第１板５０の下り傾斜の角度もこの範囲（１０度から１５度）で形成される。
【００４７】
次に、図９、図１０、図１１及び図１２を用いて、本発明の第２実施例に係る墨付けスコヤ７００の使用方法について説明する。
【００４８】
図９及び図１０は、本発明の第２実施例に係る墨付けスコヤ７００を用いて、土台水切りに入隅加工用の線を墨付けする際の手順を示す斜視図であり、図１１及び図１２は、本発明の第２実施例に係る墨付けスコヤ７００を用いて、土台水切りに出隅加工用の線を墨付けする際の手順を示す斜視図である。
【００４９】
まず、土台水切りに入隅加工用の線を墨付けする際の手順について説明する。本発明の第２実施例に係る墨付けスコヤ７００を用いて、土台水切り１００に入隅加工用の線を墨付けするには、図９に示すとおり、まず、第１板５０の上面側を土台水切り１００の基台上面１０に載置するとともに、第２板５１の正面側を土台水切り１００の基台側面１２に密着するよう保持する。このとき、上述のとおり、基台上面１０は側面視において、立ち上がり面１１を直立させたときに、立ち上がり面１１の連設部から基台側面１２の連設部にかけて下り傾斜となっているが、第１板５０の下り傾斜の角度は、この基台上面１０の下り傾斜の角度に沿うよう形成されているため、本発明における第１板５０と第２板５１は、共に土台水切りの形状（基台上面１０及び基台側面１２の形状）に合わせ密着させることができる。
【００５０】
この状態において、まず、基台上面１０に第１板５０の斜辺１５ｂ、１５ｃを用いて、両底角が４５度からなる直角二等辺三角形を形成するように線分１ａ、１ｂ（斜辺）を墨付けする。そして、その状態のまま、第２板５１の両側辺１６ｂ、１６ｃを用いて、基台側面１２に二本の線分１ｃ、１ｄを墨付けする。なお、上述のとおり、第１板５０と第２板５１は、共に土台水切りの形状（基台上面１０及び基台側面１２の形状）に合わせて密着されていることから、安定して墨付け作業を行うことができる。
【００５１】
最後に、図１０に示すとおり、第１板５０の裏面側を基台上面１０に載置するとともに、第２板５１の背面側を立ち上がり面１１に密着するよう保持する（本発明を反転させる）。このとき、第１板５０の斜辺１５ｃを線分１ａに重ねるようにする。そして、第２板５１の右側辺１６ｃを用いて、立ち上がり面１１に線分１ａと１ｂの交点１Ｅから垂直の線分１ｅを墨付けする（第１板５０の斜辺１５ｂを線分１ｂに重ね、第２板５１の左側辺１６ｂを用いて線分１ｅを墨付けしてもよい）。なお、上述のとおり、第１板５０の下り傾斜の角度は、基台上面１０の下り傾斜の角度と一致するため、第１板５０と第２板５１は、共に土台水切りの形状（基台上面１０及び立ち上がり面１１の形状）に合わせ密着させることができる。したがって、このように本発明を反転させた場合でも、安定して立ち上がり面１１に線分１ｅを墨付けすることが可能となる。
【００５２】
次に、土台水切りに出隅加工用の線を墨付けする際の手順について説明する。本発明の第２実施例に係る墨付けスコヤ７００を用いて、土台水切りに出隅加工用の線を墨付けするには、図１１に示すとおり、まず、第１板５０の裏面側を土台水切り３００の基台上面２０に載置するとともに、第２板５１の背面側を土台水切り３００の立ち上がり面２１に密着するよう保持する。
【００５３】
この状態において、まず、基台上面２０に第１板５０の斜辺１５ｂ、１５ｃを用いて、両底角が４５度からなる直角二等辺三角形を形成するように線分４ａ、４ｂ（斜辺）を墨付けする。そして、その状態のまま、第２板５１の両側辺１６ｂ、１６ｃを用いて、立ち上がり面２１に二本の線分４ｃ、４ｄを墨付けする。なお、上述と同様、第１板５０と第２板５１は、共に土台水切りの形状（基台上面２０及び立ち上がり面２１の形状）に合わせて密着させることができることから、安定して墨付け作業を行うことができる。
【００５４】
最後に、図１２に示すとおり、第１板５０の上面側を基台上面２０に載置するとともに、第２板５１の正面側を基台側面２２に密着するよう保持する（本発明を反転させる）。このとき、第１板５０の斜辺１５ｃを線分４ａに重ねるようにする。そして、第２板５１の右側辺１６ｃを用いて、基台側面２２に線分４ａと４ｂの交点４Ｅから垂直の線分４ｅを墨付けする（第１板５０の斜辺１５ｂを線分４ｂに重ね、第２板５１の左側辺１６ｂを用いて線分４ｅを墨付けしてもよい）。なお、上述のとおり、第１板５０の下り傾斜の角度は、基台上面２０の下り傾斜の角度と一致するため、第１板５０と第２板５１は、共に土台水切りの形状（基台上面２０及び基台側面２２の形状）に合わせて密着させることができる。したがって、このように本発明を反転させた場合でも、安定して基台側面２２に線分４ｅを墨付けすることが可能となる。
【００５５】
このように、本発明の第２実施例に係る墨付けスコヤでは、１回の工程で土台水切りの基台上面１０、２０に両底角が４５度からなる直角二等辺三角形を形成するように線分１ａ、１ｂ、線分４ａ、４ｂ（斜辺）を墨付けできるとともに、基台側面１２に線分１ｃ、１ｄを、立ち上がり面２１に線分４ｃ、４ｄを墨付けすることができる。そして、本発明を反転させれば、立ち上がり面１１に線分１ｅを、基台側面２２に線分４ｅを墨付けすることもできる。
【００５６】
したがって、本発明の第２実施例に係る墨付けスコヤを用いれば、２回の工程のみをもって、入隅及び出隅用として加工するための必要な全ての墨付けを土台水切りに施すことができることから、効率的に墨付け作業を行うことが可能となる。
【００５７】
また、本発明では、第１板５０の下り傾斜の角度と土台水切りの基台上面１０、２０との下り傾斜の角度が一致するため、第１板５０と第２板５１は、共に土台水切りの形状（基台上面１０、２０及び立ち上がり面１１、２１の形状、基台上面１０、２０及び基台側面１２、２２の形状）に合わせ密着させることができる。したがって、本発明は、土台水切りに入隅及び出隅加工用の線を墨付けする際、しっかりとこれを土台水切りに固定させることができ、安定して墨付け作業を行うことが可能となる（線分を正確に墨付けできる）。
【００５８】
なお、本実施例では、第１板５０と第２板５１の設置角度（第１板５０の下り傾斜の角度）を一般的な土台水切りにおける基台上面の下り傾斜の角度に合わせて、概ね１０度から１５度としているが、基台上面の下り傾斜の角度がこれ以外の場合には（例えば１度〜９度）、第１板５０と第２板５１の設置角度（第１板５０の下り傾斜の角度）もこれに合わせて形成されることは勿論のことである。
【００５９】
また、本実施例では、第１板５０と第２板５１の設置角度（第１板５０の下り傾斜の角度）を一般的な土台水切りにおける基台上面の下り傾斜の角度に合わせるものとしているが、第１板５０と第２板５１の設置角度（第１板５０の下り傾斜の角度）は、土台水切りにおける基台上面の下り傾斜の角度の範囲内であってもよい（例えば、第１板５０と第２板５１との設置角度が１０度であり、基台上面の下り傾斜の角度が１５度）。
この構成によれば、例えば、第１板５０の裏面側を土台水切り３００の基台上面２０に載置し、第２板５１の背面側を土台水切り３００の立ち上がり面２１に密着するよう保持した場合、第１板５０と基台上面２０との間にはわずかな隙間が生じるが、第２板５１の背面側を土台水切り３００の立ち上がり面２１に密着するよう保持しているため、この隙間があることで墨付け作業自体が不安定になることはなく、効率的な墨付け作業が可能となる。
【００６０】
さらに、本実施例では、第１板５０と第２板５１の設置角度（第１板５０の下り傾斜の角度）が不変であることを前提にしているが、第１板５０と第２板５１の設置角度（第１板５０の下り傾斜の角度）を可変のものとしてもよい。この構成によれば、第１板５０と第２板５１との設置角度（第１板５０の下り傾斜の角度）を、土台水切りの基台上面の下り傾斜の角度に合わせて調整可能なことから、ひとつのスコヤであらゆる傾斜角度の基台上面の土台水切りに墨付け可能となる。この場合には、第１板５０と第２板５１とを折り曲げ可能な金属板、例えばアルミニウムを用いて形成するとよい。また、第１板５０と第２板５１との設置角度（第１板５０の下り傾斜の角度）を調整する際には、第２板５１を保持しながら、第１板５０に上方又は下方向への力を加えればよい。
【００６１】
このように、本実施例では、本発明の趣旨を逸脱しない範囲で種々の変更が可能であることはいうまでもない。
【符号の説明】
【００６２】
１ａ    線分
１ｂ    線分
１ｃ    線分
１ｄ    線分
１ｅ    線分
１Ａ    線分１ａの端点
１Ｂ    線分１ｂの端点
１Ｅ    線分１ａと線分１ｂの交点
２ａ    切除部
２ｂ    切除部
２ｃ    切り込み線
３ａ    重ねしろ
３ｂ    重ねしろ
４ａ    線分
４ｂ    線分
４ｃ    線分
４ｄ    線分
４ｅ    線分
４Ａ    線分４ａの端点
４Ｂ    線分４ｂの端点
４Ｅ    線分４ａと線分４ｂの交点
５ａ    切除部
５ｂ    切除部
５ｃ    切り込み線
６ａ    重ねしろ
６ｂ    重ねしろ
７ａ    斜辺
７ｂ    上辺
８ａ    第１板の底辺
８ｂ    第１板の斜辺
８ｃ    第１板の斜辺
９ａ    第２板の底辺
９ｂ    第２板の左側辺
９ｃ    第２板の右側辺
９ｄ    第２板の上辺
１０    基台上面
１１    立ち上がり面
１２    基台側面
１５ａ  第１板の底辺
１５ｂ  第１板の斜辺
１５ｃ  第１板の斜辺
１６ａ  第２板の底辺
１６ｂ  第２板の左側辺
１６ｃ  第２板の右側辺
２０    基台上面
２１    立ち上がり面
２２    基台側面
３０    第１板
３１    第２板
４０ａ  第１板底辺の中心点
４０ｂ  第１板底辺の端部
４０ｃ  第１板底辺の端部
４０ｄ  第１板の二つの斜辺の交点
５０    第１板
５１    第２板
６０ｂ  第１板の二つの斜辺の交点
１００  入隅加工用の土台水切り
２００  入隅用土台水切り
３００  出隅加工用の土台水切り
４００  出隅用土台水切り
５００  止型スコヤ
６００  本発明の第１実施例の墨付けスコヤ
７００  本発明の第２実施例の墨付けスコヤ
【要約】      （修正有）【課題】入隅及び出隅用の土台水切りに加工する際の墨付け作業を安定的かつ効率的に行える墨付けスコヤを提供する。【解決手段】入隅及び出隅用土台水切り加工用の墨付けスコヤ６００を、両底角が４５度からなる直角二等辺三角形状を有する第１板３０と、第１板３０の底辺から上方に延設され、第１板３０の底辺の長さと同じ長さからなる底辺を有する第２板３１とから構成し、第２板３１の両側辺を第１板３０の底辺に対し直角に設け、側面視において、第２板３１を直立させたときに第１板３０が水平となるようにする。【選択図】図１【図１】
0005633857.tif 000002
【図２】
0005633857.tif 000003
【図３】
0005633857.tif 000004
【図４】
0005633857.tif 000005
【図５】
0005633857.tif 000006
【図６】
0005633857.tif 000007
【図７】
0005633857.tif 000008
【図８】
0005633857.tif 000009
【図９】
0005633857.tif 000010
【図１０】
0005633857.tif 000011
【図１１】
0005633857.tif 000012
【図１２】
0005633857.tif 000013
【図１３】
0005633857.tif 000014
【図１４】
0005633857.tif 000015
【図１５】
0005633857.tif 000016
【図１６】
0005633857.tif 000017
【図１７】
0005633857.tif 000018
【図１８】
0005633857.tif 000019
【図１９】
0005633857.tif 000020